(57)【要約】【課題】外部アンテナを増設せずとも信号をロスすることなく２系統送受信をすることができる２系統送受信ユニットを提供する。【解決手段】本発明の２系統送受信ユニット１は、第１の送受信回路２が接続された第１の単極双投スイッチ回路６、第２の送受信回路３が接続された第２の単極双投スイッチ回路７、各第１の選択端子６ｂ、７ｂに接続されたアンテナ接続端子４、各第２の接続端子６ｃ、７ｃに接続された内部アンテナを備える。第１の単極双投スイッチ回路６の第１の選択端子６ｂと単極端子６ａとが接続されるとき、第２の単極双投スイッチ回路７の第２の選択端子７ｃと単極端子７ａとが接続される。逆の接続パターンの場合も同様である。【選択図】図１
2010288126.tif 000002
【特許請求の範囲】
【請求項１】
第１の無線通信システムに対応する第１の送受信回路と、
前記第１の無線通信システムとは異なる第２の無線通信システムに対応する第２の送受信回路と、
前記第１の無線通信システムおよび前記第２の無線通信システムにおける各信号を送受信する外部アンテナが接続されるアンテナ接続端子と、
配線パターン、チップアンテナ、金属カバーその他の前記第１の無線通信システムおよび前記第２の無線通信システムにおける各信号を送受信する内部アンテナとして作用する金属部材を用いて形成されている内部アンテナ用金属部材と、
前記第１の送受信回路または前記第２の送受信回路に接続された単極端子、前記アンテナ接続端子に接続された第１の選択端子、および、前記内部アンテナ用金属部材に接続された第２の選択端子をそれぞれ有する第１の単極双投スイッチ回路および第２の単極双投スイッチ回路と
を備えており、
前記第１の単極双投スイッチ回路および前記第２の単極双投スイッチ回路は、いずれか一方の単極双投スイッチ回路における前記第１の選択端子を接続させるときにはその他方の単極双投スイッチ回路における前記第２の選択端子を接続させるスイッチ動作をするように形成されている
ことを特徴とする２系統送受信ユニット。
【請求項２】
前記第１の送受信回路および前記第２の送受信回路は、どちらの送受信回路も使用する場合、いずれか一方の送受信回路に接続された単極双投スイッチ回路における前記第１の選択端子と前記単極端子とを接続させることによって前記一方の送受信回路が前記アンテナ接続端子に送信信号および受信信号を入力および出力するとともに、その他方の送受信回路に接続された単極双投スイッチ回路における前記第２の選択端子と前記単極端子とを接続させることによって前記他方の送受信回路が前記内部アンテナ用金属部材から受信信号を受信するように形成されている
ことを特徴とする請求項１に記載の２系統送受信ユニット。
【請求項３】
前記第１の送受信回路および前記第２の送受信回路は、いずれか一方の送受信回路を使用する場合、使用する一方の送受信回路に接続された単極双投スイッチ回路における前記第１の選択端子と前記単極端子とを接続させることによって前記使用する一方の送受信回路が前記アンテナ接続端子に送信信号および受信信号を入力および出力するように形成されている
ことを特徴とする請求項１に記載の２系統送受信ユニット。
【請求項４】
前記内部アンテナ用金属部材は、前記第１の送受信回路および前記第２の送受信回路のうちの一方または両方の送受信回路を覆う金属カバーである
ことを特徴とする請求項１から請求項３のいずれか１項に記載の２系統送受信ユニット。
【請求項５】
前記第１の無線通信システムまたは前記第２の無線通信システムのうち、一方の無線通信システムは無線ＬＡＮであり、他方の無線通信システムはブルートゥースである
ことを特徴とする請求項１から請求項４のいずれか１項に記載の２系統送受信ユニット。
【発明の詳細な説明】
【技術分野】
【０００１】
本発明は、２系統送受信ユニットに係り、特に、無線ＬＡＮシステムおよびブルートゥース・システムにおける１系統単独送受信または２系統同時送受信を行なう際に好適に利用できる２系統送受信ユニットに関する。
【背景技術】
【０００２】
現在、無線ＬＡＮシステムやブルートゥースなどの複数の無線通信システムが使用されており、それら複数の無線通信システムを利用して送受信を行なう手段として、例えば、無線ＬＡＮシステムおよびブルートゥースの２系統無線通信システムを利用して２系統送受信を行なう２系統送受信ユニットが用いられている。
【０００３】
従来の２系統送受信ユニット１０１としては、主に、図５、図６または図７に示すように、アンテナ切換型１アンテナ方式、カップラー型１アンテナ方式、２アンテナ方式の３種類の異なる方式を備えた２系統送受信ユニット１０１が用いられている。
【０００４】
アンテナ切換型１アンテナ方式の２系統送受信ユニット１０１は、図５に示すように、無線ＬＡＮ送受信回路１０２およびブルートゥース送受信回路１０３ならびにそれら２つの送受信回路に接続されたスイッチ回路１０６Ａを備えている。そして、スイッチ回路１０６Ａを切り換えることにより、スイッチ回路１０６Ａに対してアンテナ接続端子１０４を介して接続された外部アンテナ１０９が無線ＬＡＮ送受信回路１０２またはブルートゥース送受信回路１０３のどちらか一方の送受信回路に接続され、その一方の送受信回路のみが送受信するように形成されている。
【０００５】
カップラー型１アンテナ方式の２系統送受信ユニット１０１は、図６に示すように、無線ＬＡＮ送受信回路１０２およびブルートゥース送受信回路１０３ならびにそれら２つの送受信回路に接続されたカップラー１０６Ｂを備えている。そして、外部アンテナ１０９に対してアンテナ接続端子１０４を介して接続されたカップラー１０６Ｂが信号を分配することにより、１個の外部アンテナ１０９が無線ＬＡＮ送受信回路１０２およびブルートゥース送受信回路１０３の２つの送受信回路に同時に接続され、２つの送受信回路が同時に送受信するように形成されている。
【０００６】
２アンテナ方式の２系統送受信ユニット１０１は、図７に示すように、無線ＬＡＮ送受信回路１０２およびブルートゥース送受信回路１０３を備えている。そして、２個の外部アンテナ１０９Ａ、１０９Ｂが無線ＬＡＮ送受信回路１０２およびブルートゥース送受信回路１０３に対して各アンテナ接続端子１０４Ａ、１０４Ｂを介してそれぞれ接続されることにより、無線ＬＡＮ送受信回路１０２およびブルートゥース送受信回路１０３の２つの送受信回路が個別に送受信するように形成されている。
【先行技術文献】
【特許文献】
【０００７】
【特許文献１】特開２００７−１５０５６６号公報
【発明の概要】
【発明が解決しようとする課題】
【０００８】
しかしながら、従来の２系統送受信ユニット１０１においては、前述の各方式のうちのいずれの方式を２系統送受信ユニット１０１に採用したとしても、次の問題があった。
【０００９】
すなわち、図５に示すように、アンテナ切換型１アンテナ方式を採用した従来の２系統送受信ユニット１０１においては、スイッチ回路１０６Ａの切換により一方の送受信回路のみが送受信するので、その他方の送受信回路は送受信をすることができないという問題があった。そのため、例えば、２系統送受信ユニット１０１を搭載した携帯端末機とブルートゥースによりリンクさせたヘッドセットやマウスなどのブルートゥース対応機器を使用しながら無線ＬＡＮ経由の所望のデータをその携帯端末機にダウンロードすることができなかったり、その逆の動作ができなかったりといった不都合が生じていた。この不都合は、スイッチ回路１０６Ａの高速切換によりその不都合の度合いを少なく感じさせることができたとしても、それによって根本的な解決を見出すことができない。
【００１０】
また、図６に示すように、カップラー型１アンテナ方式を採用した従来の２系統送受信ユニット１０１においては、送受信された入力信号または出力信号がカップラー１０６Ｂの通過時に例えば３．５ｄＢ程度損失してしまうという問題があった。このロスは、一方の送受信回路のみを使用し、他方の送受信回路を不使用にした（つまり、他方の送受信回路の電源をオフにした）としても、一方の送受信回路から入出力された信号がカップラー１０６Ｂを通過したときに必ず生じてしまう。
【００１１】
一方、２アンテナ方式を採用した従来の２系統送受信ユニット１０１においては、前述した問題は生じないので、２系統送受信ユニット１０１のなかでも最も効率良く２系統送受信を行なうことができる。その反面、図７に示すように、２個の外部アンテナ１０９Ａ、１０９Ｂを２系統送受信ユニット１０１を搭載させる外部回路に配設しなければならないため、その外部回路を変更しなければならないという問題が生じていた。この問題については、２系統送受信ユニット１０１およびその外部回路を製造する者にとって外部アンテナの増設費用分だけその製造コストが増大するという問題につながってしまう。また、２系統送受信ユニット１０１のみを製造する者にとってはその変更は事実上不可能である。
【００１２】
そこで、本発明はこれらの点に鑑みてなされたものであり、外部アンテナを増設せずとも信号をロスすることなく２系統送受信をすることができる２系統送受信ユニットを提供することを本発明の目的としている。
【課題を解決するための手段】
【００１３】
前述した目的を達成するため、本発明の２系統送受信ユニットは、その第１の態様として、第１の無線通信システムに対応する第１の送受信回路と、第１の無線通信システムとは異なる第２の無線通信システムに対応する第２の送受信回路と、第１の無線通信システムおよび第２の無線通信システムにおける各信号を送受信する外部アンテナが接続されるアンテナ接続端子と、配線パターン、チップアンテナ、金属カバーその他の第１の無線通信システムおよび第２の無線通信システムにおける各信号を送受信する内部アンテナとして作用する金属部材を用いて形成されている内部アンテナ用金属部材と、第１の送受信回路または第２の送受信回路に接続された単極端子、アンテナ接続端子に接続された第１の選択端子、および、内部アンテナ用金属部材に接続された第２の選択端子をそれぞれ有する第１の単極双投スイッチ回路および第２の単極双投スイッチ回路とを備えており、第１の単極双投スイッチ回路および第２の単極双投スイッチ回路は、いずれか一方の単極双投スイッチ回路における第１の選択端子を接続させるときにはその他方の単極双投スイッチ回路における第２の選択端子を接続させるスイッチ動作をするように形成されていることを特徴としている。
【００１４】
本発明の第１の態様の２系統送受信ユニットによれば、２系統送受信ユニットに従来から配設されていた内部アンテナ用金属部材を内部アンテナとして用いているので、外部アンテナを増設せずとも２アンテナ方式の２系統送受信ユニットと同様またはそれに近い程度の２系統送受信を行なうことができる。
【００１５】
本発明の第２の態様の２系統送受信ユニットは、第１の態様の２系統送受信ユニットにおいて、第１の送受信回路および第２の送受信回路は、どちらの送受信回路も使用する場合、いずれか一方の送受信回路に接続された単極双投スイッチ回路における第１の選択端子と単極端子とを接続させることによって一方の送受信回路がアンテナ接続端子に送信信号および受信信号を入力および出力するとともに、その他方の送受信回路に接続された単極双投スイッチ回路における第２の選択端子と単極端子とを接続させることによって他方の送受信回路が内部アンテナ用金属部材から受信信号を受信するように形成されていることを特徴としている。
【００１６】
本発明の第２の態様の２系統送受信ユニットによれば、内部アンテナ用金属部材からの送信を禁止することにより、内部アンテナ用金属部材から送信した信号が内部アンテナ用金属部分と空間的に近接しており内部アンテナ用金属部材に接続していない送受信回路に対して直接大きなノイズ成分として受信されてしまう不都合を防止することができる。
【００１７】
本発明の第３の態様の２系統送受信ユニットは、第１の態様の２系統送受信ユニットにおいて、第１の送受信回路および第２の送受信回路は、いずれか一方の送受信回路を使用する場合、使用する一方の送受信回路に接続された単極双投スイッチ回路における第１の選択端子と単極端子とを接続させることによって使用する一方の送受信回路がアンテナ接続端子に送信信号および受信信号を入力および出力するように形成されていることを特徴としている。
【００１８】
本発明の第３の態様の２系統送受信ユニットによれば、アンテナ特性に優れた外部アンテナをメインアンテナとして使用することができる。
【００１９】
本発明の第４の態様の２系統送受信ユニットは、第１から第３のいずれか１の態様の２系統送受信ユニットにおいて、内部アンテナ用金属部材は、第１の送受信回路および第２の送受信回路のうちの一方または両方の送受信回路を覆う金属カバーであることを特徴としている。
【００２０】
本発明の第４の態様の２系統送受信ユニットによれば、２系統送受信ユニットのレイアウト変更を最小限に留めることができるとともに、内部アンテナ用金属部材のアンテナ特性を向上させることができる。
【００２１】
本発明の第５の態様の２系統送受信ユニットは、第１から第４のいずれか１の態様の２系統送受信ユニットにおいて、第１の無線通信システムまたは第２の無線通信システムのうち、一方の無線通信システムは無線ＬＡＮであり、他方の無線通信システムはブルートゥースであることを特徴としている。
【００２２】
本発明の第５の態様の２系統送受信ユニットによれば、無線通信システムとして主に使用されている無線ＬＡＮおよびブルートゥースを採用した２系統送受信を行なうことができる。
【発明の効果】
【００２３】
本発明の２系統送受信ユニットによれば、２系統送受信ユニットに従来から配設されていた内部アンテナ用金属部材を他の外部アンテナとして使用したので、外部アンテナを増設せずとも信号をロスすることなく２系統送受信をすることができるという効果を奏する。
【図面の簡単な説明】
【００２４】
【図１】本発明の２系統送受信ユニットにおける一実施形態を示すブロック回路図（第１の送受信回路が外部アンテナに接続されており、第２の送受信回路が内部アンテナ用金属部材に接続されている状態を示している。）
【図２】本発明の２系統送受信ユニットにおける一実施形態を示すブロック回路図（第１の送受信回路が内部アンテナ用金属部材に接続されており、第２の送受信回路が外部アンテナに接続されている状態を示している。）
【図３】本発明の２系統送受信ユニットにおける一実施形態を示すブロック回路図（使用する第１の送受信回路が外部アンテナに接続されており、使用しない第２の送受信回路が内部アンテナ用金属部材に接続されている状態を示している。）
【図４】本発明の２系統送受信ユニットにおける一実施形態を示すブロック回路図（使用しない第１の送受信回路が内部アンテナ用金属部材に接続されており、使用する第２の送受信回路が外部アンテナに接続されている状態を示している。）
【図５】従来のアンテナ切換型１アンテナ方式の２系統送受信ユニットの一例を示すブロック回路図
【図６】従来のカップラー型１アンテナ方式の２系統送受信ユニットの一例を示すブロック回路図
【図７】従来の２アンテナ方式の２系統送受信ユニットの一例を示すブロック回路図
【発明を実施するための形態】
【００２５】
以下、本発明の２系統送受信ユニットをその一実施形態により説明する。
【００２６】
本実施形態の２系統送受信ユニット１は、図１から図４に示すように、第１の送受信回路２、第２の送受信回路３、アンテナ接続端子４、内部アンテナ用金属部材５、第１の単極双投スイッチ回路６および第２の単極双投スイッチ回路７を備えている。
【００２７】
第１の送受信回路２は、図１に示すように、第１の無線通信システムに対応する送受信回路である。この第１の無線通信システムとしては、無線ＬＡＮまたはブルートゥースであることが好ましい。本実施形態の第１の無線通信システムとしては、無線ＬＡＮが選択されている。
【００２８】
第２の送受信回路３は、図１に示すように、第２の無線通信システムに対応する送受信回路である。第２の無線通信システムは、前述の第１の無線通信システムとは異なるように設定されている。この第２の無線通信システムとしては、無線ＬＡＮまたはブルートゥースであることが好ましい。本実施形態の第２の無線通信システムとしては、ブルートゥースが選択されている。
【００２９】
アンテナ接続端子４とは、図１に示すように、本実施形態の２系統送受信ユニット１の外部に設けられた外部アンテナ９が接続される端子である。ここで、外部アンテナ９は、第１の無線通信システムおよび第２の無線通信システムにおける各信号を送受信するのに好適な特性に設定されている。
【００３０】
内部アンテナ用金属部材５は、図１に示すように、第１の無線通信システムおよび第２の無線通信システムにおける各信号を送受信する内部アンテナとして作用する金属部材である。２系統送受信ユニット１の内部に配設された多くの金属部材は、前述の内部アンテナとして作用する可能性を有する。金属部材の例としては、第１の送受信回路２および第２の送受信回路３のうちの一方または両方の送受信回路を覆う金属カバー、２系統送受信ユニット１に搭載された配線板に形成された配線パターンやその配線板に搭載されたチップアンテナなどが挙げられる。ここで、本実施形態の内部アンテナ用金属部材５としては、カバーアンテナとして作用する金属カバーであることが好ましい。
【００３１】
第１の単極双投スイッチ回路６および第２の単極双投スイッチ回路７は、図１に示すように、ＳＰＤＴスイッチと称されるマルチポート・スイッチである。これら第１の単極双投スイッチ回路６および第２の単極双投スイッチ回路７は、単極端子６ａ、７ａ、第１の選択端子６ｂ、７ｂおよび第２の選択端子６ｃ、７ｃをそれぞれ有している。本実施形態においては、第１の単極双投スイッチ回路６の単極端子６ａが第１の送受信回路２に接続されており、第２の単極双投スイッチ回路７の単極端子７ａは第２の送受信回路３に接続されている。また、各第１の選択端子６ｂ、７ｂはアンテナ接続端子４に接続されており、各第２の選択端子６ｃ、７ｃは配線５ａを介して内部アンテナ用金属部材５に接続されている。
【００３２】
また、第１の単極双投スイッチ回路６および第２の単極双投スイッチ回路７は、一方の単極双投スイッチ回路（例えば６）のスイッチ動作に連動して他方の単極双投スイッチ回路（例えば７）がスイッチ動作するように形成されている。具体的には、図１に示すように、第１の単極双投スイッチ回路６における第１の選択端子６ｂをその単極端子６ａに接続させるスイッチ動作をさせるときは、第２の単極双投スイッチ回路７における第２の選択端子７ｃがその単極端子７ａに接続されるようなスイッチ動作をさせる。図２に示すように、その逆のスイッチ動作も同様である。
【００３３】
ここで、第１の単極双投スイッチ回路６および第２の単極双投スイッチ回路７は、第１の送受信回路２および第２の送受信回路３の使用の有無や送信信号の有無に基づいてスイッチ動作をするように形成されていることが好ましい。
【００３４】
例えば、第１の送受信回路２および第２の送受信回路３のうちのどちらの送受信回路も使用する場合を考える。この場合、例えば図１に示すように、第１の送受信回路２および第２の送受信回路３については、いずれか一方の送受信回路（例えば２）に接続された単極双投スイッチ回路（例えば６）における第１の選択端子（例えば６ｂ）と単極端子（例えば６ａ）とを接続させることによって、一方の送受信回路（例えば２）がアンテナ接続端子４に送信信号および受信信号を入力および出力するように形成されていることが好ましい。また、その他方の送受信回路（例えば３）に接続された単極双投スイッチ回路（例えば７）における第２の選択端子（例えば７ｃ）と単極端子（例えば７ａ）とを接続させることによって、他方の送受信回路（例えば３）が内部アンテナ用金属部材５から受信信号を受信するように形成されていることが好ましい。
【００３５】
上記の例として、第１の送受信回路２からアンテナ接続端子４に対して送信信号および受信信号が入力および出力され、第２の送受信回路３が内部アンテナ用金属部材５から受信信号を受信する場合、図１に示すように、第１の単極双投スイッチ回路６における第１の選択端子６ｂと単極端子６ａとを接続させるとともに、第２の単極双投スイッチ回路７における第２の選択端子７ｃと単極端子７ａとを接続させる。図２のスイッチ動作はその逆のパターンである。
【００３６】
また、第１の送受信回路２および第２の送受信回路３のうちのいずれか一方の送受信回路（例えば２）を使用する場合を考える。この場合、例えば図３に示すように、第１の送受信回路２および第２の送受信回路３については、使用する一方の送受信回路（例えば２）に接続された単極双投スイッチ回路（例えば６）における第１の選択端子（例えば６ｂ）と単極端子（例えば６ａ）とを接続させることによって、使用する一方の送受信回路（例えば２）がアンテナ接続端子４に送信信号および受信信号を入力および出力するように形成されていることが好ましい。
【００３７】
上記の例として、第１の送受信回路２から送信信号および受信信号が入力および出力され、第２の送受信回路３が電源オフまたはスリープモードになっている場合、図３に示すように、第１の単極双投スイッチ回路６における第１の選択端子６ｂと単極端子６ａとを接続させるとともに、第２の単極双投スイッチ回路７における第２の選択端子７ｃと単極端子７ａとを接続させる。図４のスイッチ動作はその逆のパターンである。
【００３８】
次に、本実施形態の２系統送受信ユニット１の作用を説明する。
【００３９】
本実施形態の２系統送受信ユニット１においては、第１の単極双投スイッチ回路６および第２の単極双投スイッチ回路７が、図１から図４に示すように、それらのうちのいずれか一方の単極双投スイッチ回路（例えば６）における第１の選択端子（例えば６ｂ）と単極端子（例えば６ａ）とが接続されるとき、その他方の単極双投スイッチ回路（例えば７）における第２の選択端子（例えば７ｃ）と単極端子（例えば７ａ）とが接続されるスイッチ動作をするように形成されている。第１の単極双投スイッチ回路６および第２の単極双投スイッチ回路７については、各第１の選択端子６ｂ、７ｂがそれぞれアンテナ接続端子４に接続されており、各第２の接続端子６ｃ、７ｃは内部アンテナ用金属部材５に接続されている。また、２系統送受信ユニット１に従来から配設されていた内部アンテナ用金属部材５を内部アンテナとして用いている。そのため、外部アンテナ９を増設せずとも２アンテナ方式の２系統送受信ユニット１と同様またはそれに近い程度の２系統送受信を行なうことができる。
【００４０】
また、本実施形態の２系統送受信ユニット１においては、第１の送受信回路２および第２の送受信回路３のうちのどちらの送受信回路も使用する場合、図１および図２に示すように、第１の送受信回路２および第２の送受信回路３のうちのいずれか一方の送受信回路（例えば２）に接続された単極双投スイッチ回路（例えば６）における第１の選択端子（例えば６ｂ）と単極端子（例えば６ａ）とを接続させることによって一方の送受信回路（例えば２）がアンテナ接続端子４に送信信号および受信信号を入力および出力するとともに、その他方の送受信回路（例えば３）に接続された単極双投スイッチ回路（例えば７）における第２の選択端子（例えば７ｃ）と単極端子（例えば７ａ）とを接続させることによって他方の送受信回路（例えば３）が内部アンテナ用金属部材５から受信信号を受信するように形成されていることが好ましい。これにより、内部アンテナ用金属部材５からの送信を禁止することができるので、内部アンテナ用金属部材５から送信した信号が内部アンテナ用金属部分５と空間的に近接しており内部アンテナ用金属部材５に接続していない一方の送受信回路（例えば２）に対して直接大きなノイズ成分として受信されてしまう不都合を防止することができる。
【００４１】
また、本実施形態の２系統送受信ユニット１においては、第１の送受信回路２および第２の送受信回路３のうちのいずれか一方の送受信回路（例えば２）を使用する場合、図３および図４に示すように、第１の送受信回路２および第２の送受信回路３のうちの使用する一方の送受信回路（例えば２）に接続された単極双投スイッチ回路（例えば６）における第１の選択端子（例えば６ｂ）と単極端子（例えば６ａ）とを接続させることによって、使用する一方の送受信回路（例えば２）がアンテナ接続端子４に送信信号および受信信号を入力および出力するように形成されていることが好ましい。外部アンテナ９はアンテナ特性を向上させる位置や形状を考慮して形成されるため、そのアンテナ特性は内部アンテナ用金属部材５のアンテナ特性よりも優れている。つまり、第１の送受信回路２および第２の送受信回路３のうちのいずれか一方の送受信回路（例えば２）を使用する場合、上記のスイッチ動作を行なうことにより、アンテナ特性に優れた外部アンテナ９をメインアンテナとして使用することができる。
【００４２】
ここで、上記の内部アンテナ用金属部材５は、第１の送受信回路２および第２の送受信回路３のうちの一方または両方の送受信回路を覆う金属カバーであることが好ましい。金属カバーは従来から２系統送受信ユニット１の内部に配設されていた部材である。そのため、金属カバーを内部アンテナ用金属部材５として使用した場合、金属カバーと第１の送受信回路２および第２の送受信回路３の各第２の選択端子６ｃ、７ｃとを接続する配線５ａを形成すれば金属カバーが内部アンテナ用金属部材５となるので、２系統送受信ユニット１のレイアウト変更を最小限に留めることができる。また、金属カバーであれば２系統送受信ユニット１の内部に広範囲に設置されているため、配線パターン等の他の内部アンテナ用金属部材５と比較して、内部アンテナ用金属部材５のアンテナ特性を向上させることができる。
【００４３】
このような２系統送受信ユニット１において、第１の無線通信システムまたは第２の無線通信システムのうちの一方の無線通信システムは無線ＬＡＮであり、他方の無線通信システムはブルートゥースであることが好ましい。この場合、本実施形態の２系統送受信ユニット１は、無線通信システムとして主に使用されている無線ＬＡＮおよびブルートゥースを採用した２系統送受信を行なうことができる。
【００４４】
すなわち、本実施形態の２系統送受信ユニット１によれば、２系統送受信ユニット１に従来から配設されていた内部アンテナ用金属部材５を他の外部アンテナとして使用したので、外部アンテナ９を増設せずとも信号をロスすることなく２系統送受信をすることができるという作用効果を奏する。
【００４５】
なお、本発明は、前述した実施形態などに限定されるものではなく、必要に応じて種々の変更が可能である。
【符号の説明】
【００４６】
１  ２系統送受信ユニット
２  第１の送受信回路
３  第２の送受信回路
４  アンテナ接続端子
５  内部アンテナ用金属部材
５ａ  配線
６  第１の単極双投スイッチ回路
６ａ  単極端子
６ｂ  第１の選択端子
６ｃ  第２の選択端子
７  第２の単極双投スイッチ回路
７ａ  単極端子
７ｂ  第１の選択端子
７ｃ  第２の選択端子
９  外部アンテナ
【図１】
2010288126.tif 000003
【図２】
2010288126.tif 000004
【図３】
2010288126.tif 000005
【図４】
2010288126.tif 000006
【図５】
2010288126.tif 000007
【図６】
2010288126.tif 000008
【図７】
2010288126.tif 000009